【手続補正書】
【提出日】平成17年11月1日(2005.11.1)
【手続補正１】
【補正対象書類名】明細書
【補正対象項目名】発明の名称
【補正方法】変更
【補正の内容】
【発明の名称】表示制御装置、記録装置、コンテンツ一覧生成方法、コンテンツ記録方法およびプログラム
【手続補正２】
【補正対象書類名】明細書
【補正対象項目名】特許請求の範囲
【補正方法】変更
【補正の内容】
【特許請求の範囲】
【請求項１】  利用者の嗜好情報を記憶する嗜好記憶手段と、
提供されるコンテンツのタイトルを含むインデックスを取得するインデックス取得手段と、
提供されたインデックスから一覧表を生成する生成手段と、
前記嗜好情報に一致するインデックスを検索するとともに、一致度に応じた個数のマークを前記一覧表のコンテンツに付与するマーク付与手段とを含むことを特徴とする表示制御装置。
【請求項２】  前記インデックスは複数のデータ種別から構成され、前記マーク付与手段は前記データ種別に応じて一致度の評価の程度を異ならせることを特徴とする請求項１記載の表示制御装置。
【請求項３】  前記マーク付与手段はマークを付与するコンテンツ数を制限することを特徴とする請求項１または２記載の表示制御装置。
【請求項４】  利用者の嗜好情報を記憶する嗜好記憶手段と、
提供されるコンテンツのタイトルを含む複数のデータ種別から構成されるインデックスを取得するインデックス取得手段と、
提供されたインデックスから一覧表を生成する成手段と、
前記嗜好情報に一致するインデックスを検索するともに、一致するデータ種別に応じて形態の異なるマークを前記コンテンツ一覧表のコンテンツに付与するマーク付与手段とを含むことを特徴とする表示制御装置。
【請求項５】  前記マーク付与手段はデータ種別に応じて一致度の評価の程度を異ならせることを特徴とする請求項４記載の表示制御装置。
【請求項６】  請求項１〜５のいずれかに記載の表示制御装置と、
提供されるコンテンツを記録する記録手段と、
前記マーク付与手段によって検索されたインデックスに基づいてコンテンツの記録予約を行なう記録制御手段とを含むことを特徴とする記録装置。
【請求項７】  利用者の嗜好情報を記憶する嗜好記憶工程と、
コンテンツのタイトルを含むインデックスを取得するインデックス取得工程と、
提供されたインデックスから一覧表を生成する生成工程と、
前記嗜好情報に一致するインデックスを検索すると共に一致度に応じた個数のマークを前記一覧表のコンテンツに付与するマーク付与工程とを含むことを特徴とするコンテンツ一覧生成方法。
【請求項８】  請求項７記載のコンテンツ一覧生成方法のマーク付与工程で検索されたインデックスに基づいてコンテンツの記録予約を行なう予約工程を含むことを特徴とするコンテンツ記録方法。
【請求項９】  請求項７記載のコンテンツ一覧生成方法を、コンピュータに実行させるためのプログラム。
【請求項１０】  請求項８記載のコンテンツ記録方法を、コンピュータに実行させるためのプログラム。
【手続補正３】
【補正対象書類名】明細書
【補正対象項目名】０００１
【補正方法】変更
【補正の内容】
【０００１】
【発明の属する技術分野】
本発明は、たとえば動画像などの提供元から提供されるコンテンツのうち、おすすめのコンテンツを表示または記録する表示制御装置、記録装置、コンテンツ一覧生成方法、コンテンツ記録方法およびプログラムに関する。
【手続補正４】
【補正対象書類名】明細書
【補正対象項目名】０００８
【補正方法】変更
【補正の内容】
【０００８】
したがって本発明の目的は、視聴または記録するコンテンツの選択上の利便性を高くすることができる表示制御装置、記録装置、コンテンツ一覧生成方法、コンテンツ記録方法およびプログラムを提供することである。
【手続補正５】
【補正対象書類名】明細書
【補正対象項目名】０００９
【補正方法】変更
【補正の内容】
【０００９】
【課題を解決するための手段】
本発明は、利用者の嗜好情報を記憶する嗜好記憶手段と、
提供されるコンテンツのタイトルを含むインデックスを取得するインデックス取得手段と、
提供されたインデックスから一覧表を生成する生成手段と、
前記嗜好情報に一致するインデックスを検索するとともに、一致度に応じた個数のマークを前記一覧表のコンテンツに付与するマーク付与手段とを含むことを特徴とする表示制御装置である。
【手続補正６】
【補正対象書類名】明細書
【補正対象項目名】００１０
【補正方法】変更
【補正の内容】
【００１０】
本発明に従えば、インデックス取得手段によって、提供されるコンテンツのタイトルを含むインデックスが取得され、生成手段で、提供されたインデックスから一覧表が生成される。マーク付与手段は、嗜好記憶手段に記憶されている嗜好情報に一致するインデックスを検索するとともに、一致度に応じた個数のマークを前記一覧表のコンテンツに付与する。この一覧表を表示手段に与えることによって、提供予定のコンテンツの一覧を表示することができる。この一覧を表示するにあたって、利用者の嗜好にあったコンテンツ（以下「おすすめコンテンツ」という場合がある）にマークが付され、残余のコンテンツと区別する一覧を表示することができる。このようにおすすめコンテンツだけの一覧ではなく、提供予定に含まれる全てのコンテンツの一覧が、おすすめコンテンツと残余のコンテンツとで区別されて表示される。これによって現時刻に提供元から提供されているコンテンツおよびその日に提供が予定されているコンテンツなど、残余のコンテンツに関する提供予定を踏まえたうえで、おすすめコンテンツの提供予定を容易に把握することができる。したがって視聴および記録するコンテンツを選択するにあたって、その利便性を高くすることができる。たとえばおすすめコンテンツの一覧だけを表示する場合のように、提供されることを把握していれば視聴または記録したコンテンツを視聴または記録せずに過ごしてしまう過誤を防ぐことができる。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
さらにおすすめコンテンツに付されるマークは、嗜好情報とコンテンツとの一致度（以下「おすすめ度」という場合がある）に応じて、個数が異なる。これによってマークの個数によって、おすすめコンテンツのおすすめ度を容易に把握することができる。
【手続補正９】
【補正対象書類名】明細書
【補正対象項目名】００１３
【補正方法】変更
【補正の内容】
【００１３】
また本発明は、前記インデックスは複数のデータ種別から構成され、前記マーク付与手段は前記データ種別に応じて一致度の評価の程度を異ならせることを特徴とする。
【手続補正１０】
【補正対象書類名】明細書
【補正対象項目名】００１４
【補正方法】変更
【補正の内容】
【００１４】
本発明に従えば、マーク付与手段は、インデックスを構成するデータ種別（以下「おすすめ種別」という場合がある）に応じて一致度の評価の程度を異ならせる。このようにしておすすめコンテンツに、おすすめ種別に応じてマークを付すことができる。
【手続補正１１】
【補正対象書類名】明細書
【補正対象項目名】００１５
【補正方法】変更
【補正の内容】
【００１５】
また本発明は、前記マーク付与手段はマークを付与するコンテンツ数を制限することを特徴とする。
【手続補正１２】
【補正対象書類名】明細書
【補正対象項目名】００１６
【補正方法】変更
【補正の内容】
【００１６】
本発明に従えば、たとえば、基準値以上の評価を有するコンテンツが抽出するようにしてマークを付与するコンテンツ数を制限する。これにより、利用者の嗜好に合わないコンテンツが、残余のコンテンツと区別されておすすめコンテンツとして表示されてしまうことが防がれる。
【手続補正１３】
【補正対象書類名】明細書
【補正対象項目名】００１７
【補正方法】変更
【補正の内容】
【００１７】
また本発明は、利用者の嗜好情報を記憶する嗜好記憶手段と、
提供されるコンテンツのタイトルを含む複数のデータ種別から構成されるインデックスを取得するインデックス取得手段と、
提供されたインデックスから一覧表を生成する成手段と、
前記嗜好情報に一致するインデックスを検索するともに、一致するデータ種別に応じて形態の異なるマークを前記コンテンツ一覧表のコンテンツに付与するマーク付与手段とを含むことを特徴とする表示制御装置である。
【手続補正１４】
【補正対象書類名】明細書
【補正対象項目名】００１８
【補正方法】変更
【補正の内容】
【００１８】
本発明に従えば、インデックス取得手段によって、提供されるコンテンツのタイトルを含む複数のデータ種別から構成されるインデックスが取得され、生成手段で、提供されたインデックスから一覧表が生成される。マーク付与手段は、嗜好記憶手段に記憶されている嗜好情報に一致するインデックスを検索するとともに、一致度に応じた個数のマークを前記一覧表のコンテンツに付与する。この一覧表を表示手段に与えることによって、提供予定のコンテンツの一覧を表示することができる。この一覧を表示するにあたって、利用者の嗜好にあったコンテンツにマークが付され、残余のコンテンツと区別する一覧を表示することができる。このようにおすすめコンテンツだけの一覧ではなく、提供予定に含まれる全てのコンテンツの一覧が、おすすめコンテンツと残余のコンテンツとで区別されて表示される。これによって現時刻に提供元から提供されているコンテンツおよびその日に提供が予定されているコンテンツなど、残余のコンテンツに関する提供予定を踏まえたうえで、おすすめコンテンツの提供予定を容易に把握することができる。したがって視聴および記録するコンテンツを選択するにあたって、その利便性を高くすることができる。たとえばおすすめコンテンツの一覧だけを表示する場合のように、提供されることを把握していれば視聴または記録したコンテンツを視聴または記録せずに過ごしてしまう過誤を防ぐことができる。
さらに、おすすめコンテンツに付されるマークは、嗜好情報とコンテンツとの一致するデータ種別に応じて、形態が異なる。これによってマークの形態によって、おすすめ種別を容易に把握することができる。
【手続補正１５】
【補正対象書類名】明細書
【補正対象項目名】００１９
【補正方法】変更
【補正の内容】
【００１９】
また本発明は、前記マーク付与手段はデータ種別に応じて一致度の評価の程度を異ならせることを特徴とする。
【手続補正１６】
【補正対象書類名】明細書
【補正対象項目名】００２０
【補正方法】変更
【補正の内容】
【００２０】
本発明に従えば、マーク付与手段は、インデックスを構成するデータ種別に応じて一致度の評価の程度を異ならせる。このようにしておすすめコンテンツに、おすすめ種別に応じてマークを付すことができる。
【手続補正１７】
【補正対象書類名】明細書
【補正対象項目名】００２１
【補正方法】変更
【補正の内容】
【００２１】
また本発明は、前記表示制御装置と、
提供されるコンテンツを記録する記録手段と、
前記マーク付与手段によって検索されたインデックスに基づいてコンテンツの記録予約を行なう記録制御手段とを含むことを特徴とする記録装置である。
【手続補正１８】
【補正対象書類名】明細書
【補正対象項目名】００２２
【補正方法】変更
【補正の内容】
【００２２】
本発明に従えば、おすすめコンテンツが、いわば自動的に、記録手段によって記録される。これによっておすすめコンテンツを記録するための手間を省くことができ、高い利便性を有する。
【手続補正１９】
【補正対象書類名】明細書
【補正対象項目名】００２３
【補正方法】変更
【補正の内容】
【００２３】
また本発明は、利用者の嗜好情報を記憶する嗜好記憶工程と、
コンテンツのタイトルを含むインデックスを取得するインデックス取得工程と、
提供されたインデックスから一覧表を生成する生成工程と、
前記嗜好情報に一致するインデックスを検索すると共に一致度に応じた個数のマークを前記一覧表のコンテンツに付与するマーク付与工程とを含むことを特徴とするコンテンツ一覧生成方法である。
【手続補正２０】
【補正対象書類名】明細書
【補正対象項目名】００２４
【補正方法】変更
【補正の内容】
【００２４】
本発明に従えば、インデックス取得工程で、提供されるコンテンツのタイトルを含むインデックスが取得され、生成工程で、提供されたインデックスから一覧表が生成される。マーク付与工程では、記憶されている嗜好情報に一致するインデックスを検索するとともに、一致度に応じた個数のマークを前記一覧表のコンテンツに付与する。この一覧表を表示手段に与えることによって、提供予定のコンテンツの一覧を表示することができる。この一覧を表示するにあたって、利用者の嗜好にあったコンテンツにマークが付され、残余のコンテンツと区別する一覧を表示することができる。これによって現時刻に提供元から提供されているコンテンツおよびその日に提供が予定されているコンテンツなど、残余のコンテンツに関する提供予定を踏まえたうえで、おすすめコンテンツの提供予定を容易に把握することができる。したがって視聴および記録するコンテンツを選択するにあたって、その利便性を高くすることができる。たとえばおすすめコンテンツの情報だけを表示する場合のように、提供されることを把握していれば視聴または記録したであろうコンテンツを視聴または記録せずに過ごしてしまう過誤を防ぐことができる。さらにおすすめコンテンツに付されるマークは、嗜好情報とコンテンツとの一致度に応じて、個数が異なる。これによってマークの個数によって、おすすめコンテンツのおすすめ度を容易に把握することができる。
【手続補正２１】
【補正対象書類名】明細書
【補正対象項目名】００２５
【補正方法】変更
【補正の内容】
【００２５】
また本発明は、前記コンテンツ一覧生成方法のマーク付与工程で検索されたインデックスに基づいてコンテンツの記録予約を行なう予約工程を含むことを特徴とするコンテンツ記録方法である。
【手続補正２２】
【補正対象書類名】明細書
【補正対象項目名】００２６
【補正方法】変更
【補正の内容】
【００２６】
本発明に従えば、おすすめコンテンツを、いわば自動的に、記録することができる。これによっておすすめコンテンツを記録するための手間を省くことができ、高い利便性を有する。
【手続補正２３】
【補正対象書類名】明細書
【補正対象項目名】００２７
【補正方法】変更
【補正の内容】
【００２７】
また本発明は、前記コンテンツ一覧生成方法を、コンピュータに実行させるためのプログラムである。
【手続補正２４】
【補正対象書類名】明細書
【補正対象項目名】００２９
【補正方法】変更
【補正の内容】
【００２９】
また本発明は、前記コンテンツ記録方法を、コンピュータに実行させるためのプログラムである。
【手続補正２５】
【補正対象書類名】明細書
【補正対象項目名】０１８５
【補正方法】変更
【補正の内容】
【０１８５】
【発明の効果】
本発明によれば、一致度に応じて個数が異なるようにマークが付されたおすすめコンテンツと残余のコンテンツとで区別されて表示される。したがって視聴および記録するコンテンツを選択するにあたって、その利便性を高くすることができ、たとえばおすすめコンテンツの一覧だけを表示する場合のように、提供されることを把握していれば視聴または記録したコンテンツを視聴または記録せずに過ごしてしまう過誤を防ぐことができる。
【手続補正２６】
【補正対象書類名】明細書
【補正対象項目名】０１８６
【補正方法】変更
【補正の内容】
【０１８６】
また本発明によれば、おすすめコンテンツに、おすすめ種別に応じてマークを付すことができる。
【手続補正２７】
【補正対象書類名】明細書
【補正対象項目名】０１８７
【補正方法】変更
【補正の内容】
【０１８７】
また本発明によれば、利用者の嗜好に合わないコンテンツが、残余のコンテンツと区別されておすすめコンテンツとして表示されてしまうことが防がれる。
【手続補正２８】
【補正対象書類名】明細書
【補正対象項目名】０１８８
【補正方法】変更
【補正の内容】
【０１８８】
また本発明によれば、一致度に応じて形態が異なるようにマークが付されたおすすめコンテンツと残余のコンテンツとで区別されて表示される。したがって視聴および記録するコンテンツを選択するにあたって、その利便性を高くすることができ、たとえばおすすめコンテンツの一覧だけを表示する場合のように、提供されることを把握していれば視聴または記録したコンテンツを視聴または記録せずに過ごしてしまう過誤を防ぐことができる。
【手続補正２９】
【補正対象書類名】明細書
【補正対象項目名】０１８９
【補正方法】削除
【補正の内容】
【手続補正３０】
【補正対象書類名】明細書
【補正対象項目名】０１９０
【補正方法】削除
【補正の内容】
【手続補正３１】
【補正対象書類名】明細書
【補正対象項目名】０１９２
【補正方法】変更
【補正の内容】
【０１９２】
また本発明によれば、一致度に応じて個数が異なるようにマークが付されたおすすめコンテンツコンテンツの一覧が、おすすめコンテンツと残余のコンテンツとで区別されて表示される。したがって視聴および記録するコンテンツを選択するにあたって、その利便性を高くすることができ、たとえばおすすめコンテンツの一覧だけを表示する場合のように、提供されることを把握していれば視聴または記録したコンテンツを視聴または記録せずに過ごしてしまう過誤を防ぐことができる。